(57)【特許請求の範囲】
【請求項１】
制御部と記憶部と表示部を備え、前記記憶部に、少なくとも個人の画像を含む個人識別情報と、電話番号と、メールアドレスとを相互に関連づけて記憶可能な通信装置において、
前記制御部は、前記表示部に表示された前記個人の画像が選択され、着信拒否登録がなされた場合、該個人の画像を含む個人識別情報に関連する電話番号とメールアドレスからの通信を着信拒否対象とし、該選択された個人の画像を前記表示部に表示しないことを特徴とする通信装置。
【請求項２】
請求項１に記載の通信装置であり、前記表示部に前記個人の画像を一度に複数表示し、前記表示部に表示された前記個人の画像が選択され、着信拒否登録がなされた場合、該個人の画像を含む個人識別情報に関連する電話番号とメールアドレスからの通信を着信拒否対象とし、該選択された個人の画像を前記表示部に表示しないことを特徴とする通信装置。
【発明の詳細な説明】
【技術分野】
【０００１】
本発明は着信拒否機能を備えた通信装置に関する。
【背景技術】
【０００２】
最近の携帯電話機の多くは着信拒否機能を備えている。これは、着信させたくない電話番号を登録しておくと、その電話番号の電話機から電話があった場合、例えば「この電話番号からの電話は受け付けません」といったメッセージを発呼側に送り、着信を許さないという機能である。
【０００３】
特許文献１には、特定のメールアドレスから送信された電子メールを受信拒否する移動体通信端末が記載されている。
【特許文献１】特開平１１−２５２２５２号公報（［００１１］、図１−５）
【発明の開示】
【発明が解決しようとする課題】
【０００４】
従来の携帯電話機では、着信拒否の登録をする際、電話番号やメールアドレスを個別に登録する必要があり、手間がかかっていた。
【０００５】
本発明は上記問題点に鑑みなされたものであり、特定の個人からの電話やメールを一切着信拒否したい場合、その登録を簡便に済ませられる携帯電話機を提供することを目的とする。
【課題を解決するための手段】
【０００６】
請求項１に記載の発明は、制御部と記憶部と表示部を備え、前記記憶部に、少なくとも個人の画像を含む個人識別情報と、電話番号と、メールアドレスとを相互に関連づけて記憶可能な通信装置において、前記制御部は、前記表示部に表示された前記個人の画像が選択され、着信拒否登録がなされた場合、該個人の画像を含む個人識別情報に関連する電話番号とメールアドレスからの通信を着信拒否対象とし、該選択された個人の画像を前記表示部に表示しないことを特徴とする。
【０００７】
この構成によると、個人の画像を選択して、着信拒否登録の処理を行うだけで、個人の画像を含む個人識別情報に関連する電話番号やメールアドレスからの通信を着信拒否対象とできるから、電話番号やメールアドレスに個別に着信拒否登録作業を行う必要がなく、使用者の手間を省くことができる。着信拒否したい個人が複数の電話機を所有していたり、複数のメールアドレスを使い分けている場合など、本発明の効果は特に顕著である。また、着信拒否登録後に電話番号やメールアドレスを変えられても、電話番号やメールアドレスのデータを更新することにより、着信拒否の効力は新しい電話番号やメールアドレスに引き継がれ、それらからの通信が着信することはない。また、着信拒否したい人物を画像で特定するため、うっかり名前を間違えて他の人物を着信拒否登録してしまうというミスを防ぐことができ、さらに、選択された個人の画像を表示部に表示しないので、ユーザにとって顔も見たくない相手の顔を表示することによりユーザが不快に思うことを回避することができる。
【０００８】
また、本発明では、前記表示部に前記個人の画像を一度に複数表示し、前記表示部に表示された前記個人の画像が選択され、着信拒否登録がなされた場合、該個人の画像を含む個人識別情報に関連する電話番号とメールアドレスからの通信を着信拒否対象とし、該選択された個人の画像を前記表示部に表示しないことを特徴とする。
【発明の効果】
【００１１】
本発明によると、個人の画像を選択して着信拒否登録の処理を行うことにより、個人の画像を含む個人識別情報に関連する電話番号とメールアドレスを一括して着信拒否対象とすることができ、携帯電話機などの通信装置の使い勝手が向上する。また、着信拒否登録を行う際、個人の画像を選択することにより、誤りなく着信拒否登録ができ、さらに、選択された個人の画像を表示部に表示しないので、ユーザにとって顔も見たくない相手の顔を表示することによりユーザが不快に思うことを回避することができる。
【発明を実施するための最良の形態】
【００１２】
以下、本発明の実施形態を図１−５に基づき説明する。図１は携帯電話機の斜視図、図２は携帯電話機のブロック構成図、図３はデータ構成の概念図、図４は着信拒否登録時の表示画面例、図５は着信拒否登録後の表示画面例である。
【００１３】
携帯電話機１のケースはクラムシェルタイプ、すなわち折り畳み式であって、表示部ケース２と操作部ケース３をヒンジ部４で連結した構造を備える。
【００１４】
表示部ケース２と操作部ケース３に配置される構成要素を、図２を参照しつつ説明する。
折り畳んだとき内側になる面、すなわち内面側には次の構成要素が設けられる。表示部ケース２には、液晶表示パネルにより構成される主表示部５と、内蔵された受話ユニット６の音を出す聴話孔７が設けられている。操作部ケース３には、テンキーや各種のファンクションキーを配置したキー入力部８と、内蔵された送話ユニット９に音声を届かせる通話孔１０が設けられている。
【００１５】
折り畳んだとき外側になる面、すなわち外面側には次の構成要素が配置される。表示部ケース２には、液晶表示パネルにより構成される副表示部１１と、内蔵されたカメラユニット１２のレンズ部分が設けられている。操作部ケース３には着信音などを鳴らす拡声スピーカ１３が配置されている。
【００１６】
携帯電話機１の制御を統括するのは制御部２０である。制御部２０には、主表示部５、副表示部１１、受話ユニット６、カメラユニット１２、キー入力部８、送話ユニット９、拡声スピーカ１３といった既出要素の他、送受信部２１と、制御部２０を機能させるのに必要な情報あるいは携帯電話機１の動作に必要な情報を記憶する記憶部２２が接続されている。記憶部２２の内部には電話帳２３が設定される。
【００１７】
電話帳２３は図３にデータ構成の概念を示すような複数の個人データ３０の集合からなる。個人データ３０は個人識別情報３１を含む。個人識別情報３１には、氏名やあだ名などの文字データ３２と、カメラユニット１２で撮影した画像や外部から送信された画像などの画像３３が含まれる。この個人識別情報３１に関連する電話番号３４とメールアドレス３５が個人データ３０の一環として記憶される。制御部２０が電話帳２３のデータ管理を司る。
【００１８】
図４は電話帳２３の中の特定個人情報を表示する、主表示部５の画面例である。画面４０には、当該個人の画像３３の他、電話番号３４とメールアドレス３５が表示される。電話番号やメールアドレスが複数あれば、それらは予備表示欄４１を利用して表示される。画面４０にはこの他に「戻る」キー４２と「メニュー」キー４３が表示されている。
【００１９】
画像３３の人物からの通信一切を着信拒否したい場合は、「メニュー」キー４３を選択する。すると「着信拒否登録」キー５１を含む複数のキーを表示するメニュー画面５０が出現する。メニュー画面５０で「着信拒否登録」キー５１を選択すると、図５のように、そのことを表すアイコンが画像３３、電話番号３４、メールアドレス３５の全てに表示される。以後、電話番号３４とメールアドレス３５のいずれから通信があったとしても、それは着信拒否される。
【００２０】
このように、画像につき着信拒否登録の処理を行うことにより、その画像の人物に関連する電話番号とメールアドレスを一括して自動的に着信拒否対象とすることができ、手間がかからない。また画像を見て人物を特定することにより、名前を取り違えて他人を着信拒否登録してしまうといった事態を避けることができる
着信拒否登録後、その人物が電話番号やメールアドレスを変えたことを知ったときは、直ちに電話番号やメールアドレスのデータを更新する。着信拒否の効力は新しい電話番号やメールアドレスに引き継がれ、それらからの通信が着信することはない。
【００２１】
尚、本実施例では、着信拒否登録のアイコンを選択することにより着信拒否登録を行うことが可能であるが、例えば、カーソルを画像３３に移動させ（画像３３を選択させ）た後に、着信拒否登録の操作を行うことにより、画像３３の相手先を着信拒否相手先として登録することも可能である。
【００２２】
又、画像（縮小画像でも可）を複数一覧表示した状態で、カーソルを移動させて所望の画像を選択し、続いて着信拒否登録の操作を行うことにより、カーソルが指示している相手先を着信拒否相手として登録することも可能である。
【００２３】
更に、本実施例では画像３３を見て着信拒否相手先とするか否かをユーザが判断することが可能であるか、例えば、画像３３を得られないいたずら電話の相手先等の場合には、画像３３の表示部分に、「いたずら電話」や「変な電話」といった文字を表示させ、ユーザがその文字を見て、着信拒否相手先とするか否かを判断することも可能である。
【００２４】
又、本実施例では、図５に示すように着信拒否であることを示すアイコンが表示されるが、着信拒否登録すると画像３３のみを表示させないようにしても良い。このような構成とすることによって、ユーザにとって顔も見たくない相手の場合に、相手の顔を表示することによりユーザが不快に思うことを回避することが可能である。
【００２５】
更に、着信拒否登録すると画面４０自体を表示させないようにすることも可能である。
【００２６】
以上、本発明の実施形態につき説明したが、本発明の範囲はこれに限定されるものではなく、発明の主旨を逸脱しない範囲で種々の変更を加えて実施することができる。
【産業上の利用可能性】
【００２７】
本発明は着信拒否機能を備えた携帯電話機に広く利用可能である。
【図面の簡単な説明】
【００２８】
【図１】携帯電話機の斜視図
【図２】携帯電話機のブロック構成図
【図３】データ構成の概念図
【図４】着信拒否登録時の表示画面例
【図５】着信拒否登録後の表示画面例
【符号の説明】
【００２９】
１    携帯電話機
５    主表示部
８    キー入力部
２０  制御部
２２  記憶部
２３  電話帳
３０  個人データ
３１  個人識別情報
３２  文字データ
３３  画像
３４  電話番号
３５  メールアドレス
４０  画面
【図１】
0004522374.tif 000002
【図２】
0004522374.tif 000003
【図３】
0004522374.tif 000004
【図４】
0004522374.tif 000005
【図５】
0004522374.tif 000006